(57)【特許請求の範囲】
【請求項１】
ラグパーツと、このラグパーツのラグ本体に載置されるベゼルパーツと、このべゼルパーツの上面開口部から挿入されると共にベゼルパーツに挿入された後に回されることにより前記ラグパーツに取り付けられる胴パーツと、を備えてなる腕時計ケースであって、
前記胴パーツの側面部に貫通形成された胴パーツ竜頭挿入孔と、前記胴パーツの側面部の外周面に形成された第１係止キー及び第２係止キーと、
前記ベゼルパーツの側面部に形成された竜頭挿入孔形成突起用切欠と、
前記ラグ本体の内側面に形成された第１係止キー切欠及び第２係止キー切欠と、
前記ラグ本体に形成された竜頭挿入孔形成突起と、この竜頭挿入孔形成突起に貫通形成されたラグパーツ竜頭挿入孔と、を有してなることを特徴とする腕時計ケース。
【請求項２】
前記胴パーツと前記ベゼルパーツと前記ラグ本体を円筒形状に形成したことを特徴とする請求項１記載の腕時計ケース。
【請求項３】
前記第１係止キー切欠に第１係止キー溝を連続形成し、前記第２係止キー切欠に第２係止キー溝を連続形成したことを特徴とする請求項１、請求項２のいずれか１項記載の腕時計ケース。
【請求項４】
前記第１係止キーと前記第２係止キーを対向して形成すると共に第１係止キー切欠と前記第２係止キー切欠を対向して形成したことを特徴とする請求項１、請求項２、請求項３のいずれか１項記載の腕時計ケース。
【請求項５】
前記胴パーツ、前記ベゼルパーツ、前記ラグパーツを別の材料で形成したことを特徴とする請求項１、請求項２、請求項３、請求項４のいずれか１項記載の腕時計ケース。
【発明の詳細な説明】
【技術分野】
【０００１】
本発明は、腕時計を構成する腕時計ケースに関し、詳しくは消費者が自分の好みでパーツを選んでカスタマイズして作ることができる腕時計ケースに関する。
【背景技術】
【０００２】
腕時計は時刻を知るツールとして従来より広く使用されているが、近年においては単に時刻を知るためのツールとしてだけではなく、身に着けるアクセサリーやファッションの１アイテムとしても注目を集めている。
このため、腕時計メーカーは、腕時計のアクセサリー性やフッション性を高める目的から時計ケースや文字盤をデザイン化したり、あるいは時計バンドのデザインや色彩を多様にして腕時計を提案している。
しかし、腕時計ケースのベゼルパーツとラグパーツを一体形成してなる腕時計ケースにおいては、ベゼルパーツとラグパーツが一体形成されているので、ベゼルパーツとラグパーツを別々のデザインや色彩にしたり、あるいはベゼルパーツとラグパーツを別々の材料で形成したりすることはできない（特許文献１）。
このため、消費者は、自分の好みのデザインや色彩で形成されたり、あるいは自分の好みの材料で形成されたパーツを選んでカスタマイズした腕時計ケースを作ることは極めて困難であるという不具合がある。
【先行技術文献】
【特許文献】
【０００３】
【特許文献１】特開２０１５−１０９０５号公報
【発明の概要】
【発明が解決しようとする課題】
【０００４】
本発明は、上記事実に鑑みなされたものであり、消費者が自分の好みのデザインや色彩で形成されたり、あるいは自分の好みの材料で形成されたパーツを選んで腕時計ケースを作ることにより、自分の好みに応じてカスタマイズできる腕時計ケースを提供するものである。
【課題を解決するための手段】
【０００５】
請求項１の発明は、ラグパーツと、このラグパーツのラグ本体に載置されるベゼルパーツと、このべゼルパーツの上面開口部から挿入されると共にベゼルパーツに挿入された後に回されることにより前記ラグパーツに取り付けられる胴パーツと、を備えてなる腕時計ケースであって、
前記胴パーツの側面部に貫通形成された胴パーツ竜頭挿入孔と、前記胴パーツの側面部の外周面に形成された第１係止キー及び第２係止キーと、
前記ベゼルパーツの側面部に形成された竜頭挿入孔形成突起用切欠と、
前記ラグ本体の内側面に形成された第１係止キー切欠及び第２係止キー切欠と、
前記ラグ本体に形成された竜頭挿入孔形成突起と、この竜頭挿入孔形成突起に貫通形成されたラグパーツ竜頭挿入孔と、を有してなることを特徴としている。
請求項２の発明は、前記胴パーツと前記ベゼルパーツと前記ラグ本体を円筒形状に形成したことを特徴としている。
請求項３の発明は、前記第１係止キー切欠に第１係止キー溝を連続形成し、前記第２係止キー切欠に第２係止キー溝を連続形成したことを特徴としている。
請求項４の発明は、前記第１係止キーと前記第２係止キーを対向して形成すると共に第１係止キー切欠と前記第２係止キー切欠を対向して形成したことを特徴としている。
請求項５の発明は、前記胴パーツ、前記ベゼルパーツ、前記ラグパーツを別の材料で形成したことを特徴としている。
【発明の効果】
【０００６】
本発明の腕時計ケースは、複数のパーツを組み合わせて作るので消費者は多様なデザインや色彩あるいは多様な材料からなるパーツから自分の好みに合ったパーツを選んで腕時計ケースを作ることができ、カスタマイズした腕時計ケースを作ることができるという優れた効果を有する。
本発明の腕時計ケースは、複数のパーツを組み合わせて作るので腕時計メーカーは多様なデザインや色彩あるいは多様な材料からなるパーツを消費者に提供することができると共に腕時計の消費拡大を図ることができるという優れた効果を有する。
【図面の簡単な説明】
【０００７】
【図１】実施例の腕時計ケースの分解斜視図である。
【図２】実施例の腕時計ケースの全体斜視図である。
【図３】実施例の腕時計ケースの縦断面図である。
【図４】実施例の腕時計ケースの胴パーツの正面図である。
【図５】実施例の腕時計ケースの胴パーツの底面図である。
【図６】実施例の腕時計ケースのラグパーツの平面図である。
【図７】実施例の腕時計ケースに取り付けられる竜頭の側面図である。
【発明を実施するための形態】
【０００８】
発明を実施するために最良の形態の例として以下のような実施例を示す。
【実施例１】
【０００９】
図１〜図７には本発明に係る腕時計ケースの一実施例が示されている。
【００１０】
図１〜図３に示されるように、実施例の腕時計ケース１０は、それぞれ別体で形成された胴パーツ１２と、この胴パーツ１２に外装されるベゼルパーツ１４と、前記胴パーツ１２が載置されるラグパーツ１６と、このラグパーツ１６の下部に固定される底蓋１８と、を備えている。
【００１１】
なお、この実施例では前記胴パーツ１２は金属で一体形成され、前記ベゼルパーツ１４は木材で一体形成され、前記ラグパーツ１６は合成樹脂材で一体形成されている。
また、前記底蓋１８は金属で形成されている。
【００１２】
図１に示されるように、前記胴パーツ１２は上下方向（図１矢印Ａ方向）に短い円筒状に形成されている。
前記胴パーツ１２の上面開口部２０には透明な強化ガラス２１が嵌合されて前記腕時計ケース１０に収容される腕時計ムーブメント１（図３参照）を保護している。
【００１３】
図４に示されるように、前記胴パーツ１２の側面部２２の外側面２２Ａには上下方向（図４矢印Ａ方向）に向かって胴パーツ上部２４、胴パーツ中部２６、胴パーツ下部２８が区画されて形成されている。
この実施例では胴パーツ上部２４が胴パーツ中部２６より僅かに大径に形成されると共に胴パーツ中部２６が胴パーツ下部２８より僅かに大径に形成されている。
【００１４】
前記胴パーツ上部２４と前記胴パーツ中部２６の間には胴パーツ外側第１段部３０が形成され、前記胴パーツ中部２６と前記胴パーツ下部２８の間には胴パーツ外側第２段部３２が形成されている。
【００１５】
また、前記側面部２２の外側面２２Ａには竜頭挿入孔形成部３４が前記胴パーツ中部２６と面一になって形成されている。この竜頭挿入孔形成部３４には胴パーツ竜頭挿入孔３４Ａが貫通形成されている。
【００１６】
図５に示されるように、前記胴パーツ下部２８の外周面には前記竜頭挿入孔形成部３４を中心にして胴パーツ１２の周方向に９０°の角度で第１係止キー３６と第２係止キー３８がそれぞれ互いに対向して突設されている。
前記第１係止キー３６の周方向中央部には半円形状のネジガイド部３６Ａが形成され、前記第２係止キー３８の周方向中央部には半円形状のネジガイド部３８Ａが形成されている。
【００１７】
図３に示されるように、前記胴パーツ１２の側面部２２の内側面２２Ｂには上下方向に沿ってガラス嵌合部４０、ムーブメント収容部４２が形成されている。また、このガラス嵌合部４０とムーブメント収容部４２との間にはテーパ部４４が形成されている。
前記ガラス嵌合部４０には前記強化ガラス２１がパッキン４０Ａを介して嵌合されると共にパッキン４０Ａを設けることにより防水している。
また、前記ムーブメント収容部４２には腕時計ムーブメント１が密着状態で収容されている。
【００１８】
図１に示されるように、前記ベゼルパーツ１４は上下方向（図１矢印Ａ方向）に短い円筒形状に形成されている。
前記ベゼルパーツ１４には上面開口部５０が形成され、上面開口部５０を介して前記胴パーツ１２をベゼルパーツ１４の内部に挿入できるようになっている。
【００１９】
前記ベゼルパーツ１４の側面部５２の内側面５２Ａには上下方向に胴パーツ上部対応部５４と胴パーツ中部対応部５６が形成されている。この胴パーツ上部対応部５４と胴パーツ中部対応部５６の間にはベゼル内側段部５８が形成されている。
また、前記ベゼルパーツ１４の側面部５２には略半円形状の竜頭挿入孔形成突起用切欠６０が形成されている。
【００２０】
図１に示されるように、前記ラグパーツ１６のラグ本体６２は上下方向（図１矢印Ａ方向）に短い円筒状に形成されている。
【００２１】
図６に示されるように、このラグ本体６２の内側面６２Ａには竜頭挿入孔形成部対応切欠６４が円弧状に形成され、竜頭挿入孔形成部対応切欠６４を挟んでラグ本体６２の周方向に第１係止キー切欠６６と第２係止キー切欠６８が互いに対向して形成されている。
この第１係止キー切欠６６には周方向に向かって第１係止キー溝６６Ａが連続形成され、この第２係止キー切欠６８には周方向に向かって第２係止キー溝６８Ａが連続形成されている。
【００２２】
図１に示されるように、前記ラグ本体６２には略半円形状の竜頭挿入孔形成突起７０が突設されている。この竜頭挿入孔形成突起７０にはラグパーツ竜頭挿入孔７０Ａが貫通形成されている。
前記竜頭挿入孔形成突起７０は前記ベゼルパーツ１４の竜頭挿入孔形成突起用切欠６０に嵌るようになっている。
【００２３】
図６に示されるように、前記ラグ本体６２には対向して胴パーツ固定用ネジ孔７２が２個貫通形成されると共に底蓋固定用ネジ孔７４が４個貫通形成されている。
さらに、前記ラグ本体６２には時計バンド（図示せず）を取り付ける一対のバンド取付部７６，７６と一対のバンド取付部７６，７６が対向して一体形成されている。
【００２４】
図１に示されるように、前記底蓋１８の上面にはリング状突起部８０が突設形成されている。このリング状突起部８０の外側にはリング状突起部８０の外周面と当設してリング状ゴムパッキン８２が配設されるようになっている。
また、前記底蓋１８の外周部には前記底蓋固定用ネジ孔７４と対応するようにラグパーツ固定用ネジ孔８４が４個貫通形成されている。
【００２５】
前記胴パーツ固定用ネジ孔７２、底蓋固定用ネジ孔７４、ラグパーツ固定用ネジ孔８４には固定ネジ８６を螺入できるようになっている。
【００２６】
図３に示されるように、前記胴パーツ１２に形成された胴パーツ竜頭挿入孔３４Ａと前記ラグパーツ１６のラグパーツ竜頭挿入孔７０Ａには腕時計ケース１０に着脱可能に取り付けられる竜頭９０が挿入されるようになっている。
【００２７】
なお、従来の腕時計ケースでは胴パーツの側面に竜頭の挿入部が挿入される竜頭用パイプを突設した状態で固定し、竜頭を腕時計ケースに取り付ける場合は竜頭の挿入部を竜頭用パイプに挿入して取り付けていた。
しかし、本発明では胴パーツ１２に竜頭用パイプを設けず、竜頭９０を前記胴パーツ竜頭挿入孔３４Ａ、前記ラグパーツ竜頭挿入孔７０Ａに挿入するようにしたので、胴パーツ１２をベゼルパーツ１４に挿入できると共にベゼルパーツ１４内で胴パーツ１２を回して胴パーツ１２をラグパーツ１６に取り付けることができるようになった。
【００２８】
図７に示されるように、前記竜頭９０の摘み部９０Ａには大径部９０Ｂと小径部９０Ｃが連続形成されている。
前記小径部９０Ｃにはパッキン取付溝９２が形成され、このパッキン取付溝９２には竜頭用パッキン９４が収容状態で取り付けられている。竜頭用パッキン９４を設けることにより防水している。
【００２９】
前記竜頭９０の先端にはムーブメント操作ピン９６の一端部が取り付けられ、ムーブメント操作ピン９６の他端部は前記腕時計ムーブメント１に挿入されるようになっている。
【００３０】
なお、図３に示されるように、大径部９０Ｂはラグパーツパーツ竜頭挿入孔７０Ａに挿通され、小径部９０Ｃは胴パーツ竜頭挿入孔３４Ａに挿通されるようになっている。
【００３１】
次に、実施例の腕時計ケース１０を組み立てる場合の組み立て手順を説明する。
最初にベゼルパーツ１４をラグパーツ１６のラグ本体６２の上に配設してからラグパーツ１６とベゼルパール１４を接近させてベゼルパーツ１４の竜頭挿入孔形成突起用切欠６０にラグパーツ１６の竜頭挿入孔形成突起７０を嵌める。これにより、ベゼルパーツ１４とラグパーツ１６を位置決めすることができる。
【００３２】
次に、胴パーツ１２をベゼルパーツ１４の上方に配設し、胴パーツ１２の竜頭挿入孔形成部３４とラグパーツ１６の竜頭挿入孔形成部対応切欠６４を対応させ、胴パーツ１２の第１係止キー３６とラグパーツ１６の第１係止キー切欠６６に対応させ、胴パーツ１２の第２係止キー３６とラグパーツ１６の第２係止キー切欠６８を対応させる。
【００３３】
そして、腕時計ムーブメント１を既に収容した胴パーツ１２をベゼルパーツ１４の上面開口部５０から挿入すると、胴パーツ１２の胴パーツ竜頭挿入孔形成部３４はラグパーツ１６の竜頭挿入孔形成部対応切欠６４に収容され、胴パーツ１２の第１係止キー３６はラグパーツ１６の第１係止キー切欠６６に収容され、胴パーツ１２の第２係止キー３６はラグパーツ１６の第２係止キー切欠６８に収容される。
【００３４】
また、この時、胴パーツ１２の胴パーツ外側第１段部３０がベゼルパーツ１４のベゼル内側段部５８と当接するため、胴パーツ１２をそれ以上のベゼルパーツ１４内に挿入することはできない。
【００３５】
この状態で前記胴パーツ１２を図１矢印Ｂ方向に水平状に回すと、胴パーツ１２の第１係止キー３６はラグパーツ１６の第１係止キー切欠６６から第１係止キー溝６６Ａに移動し、胴パーツ１２の第２係止キー３８はラグパーツ１６の第２係止キー切欠６８から第１係止キー溝６８Ａに移動する。
また、胴パーツ１２の竜頭挿入孔形成部３４の胴パーツ竜頭挿入孔３４Ａとラグパーツ１６の竜頭挿入孔形成突起７０のラグパーツ竜頭挿入孔７０Ａが対応する。
【００３６】
そして、固定ネジ８６，８６をラグ本体６２の胴パーツ固定用ネジ孔７２，７２に螺入すると固定ネジ８６，８６の先端部は胴パーツ１２の第１係止キー３６のネジガイド部３６Ａと第２係止キー３８のネジガイド部３８Ａにガイドされることにより、胴パーツ１２とベゼルパーツ１４とラグパーツ１６が固定される。
【００３７】
次に、リング状ゴムパッキン８２が配設された底蓋１８をラグパーツ１６の下部に当接すると共に底蓋１８のラグパーツ固定用ネジ孔８４，８４，８４，８４をラグパーツ１６の底蓋固定用ネジ孔７４，７４，７４，７４に対応させて、固定ネジ８６，８６，８６，８６をラグパーツ固定用ネジ孔８４，８４，８４，８４、底蓋固定用ネジ孔７４，７４，７４，７４に螺入することにより、底蓋１８はラグパーツ１６と固定する。
【００３８】
最後に、ゴムパッキン９６がパッキン取付溝９４に収容された竜頭９０の小径部９０Ｃと大径部９０Ｂを差し込んで、小径部９０Ｃを胴パーツ竜頭挿入孔３４Ａに挿通させ、大径部９０Ｂをラグパーツパーツ竜頭挿入孔７０Ａに挿通して腕時計ケース１０の組み立てが完了する。
【００３９】
次に、実施例の腕時計ケース１０の作用について説明する。
実施例の腕時計ケース１０は、胴パーツ１２とベゼルパーツ１４とラグパーツ１６がそれぞれ別個に形成され、胴パーツ１２とベゼルパーツ１４とラグパーツ１６を組み立てることにより腕時計ケース１０を作ることができるようになっている。
従って、消費者は、デザインや色彩あるいは材料の異なる多様な胴パーツ１２、ベゼルパーツ１４、ラグパーツ１６の中から自分の好みの胴パーツ１２、ベゼルパーツ１４、ラグパーツ１６を選んでカスタマイズして腕時計ケース１０を作ることができる。
【００４０】
この結果、消費者は自分の好みのデザインや色彩あるいは材料の胴パーツ１２、ベゼルパーツ１４、ラグパーツ１６からなるオンリーワンの腕時計ケース１０を備えた腕時計を身につけることができる。
【００４１】
また、消費者は自分の好みのデザインや色彩あるいは材料の胴パーツ１２、ベゼルパーツ１４、ラグパーツ１６からなる腕時計ケース１０を備えた腕時計を身に着けることにより消費者独自のアクセサリー性やファッション性を発揮することができる。
【００４２】
一方、腕時計メーカーは、胴パーツ１２、ベゼルパーツ１４、ラグパーツ１６を製造する場合に胴パーツ１２、ベゼルパーツ１４、ラグパーツ１６毎にデザインや色彩あるいは材料を変えて胴パーツ１２、ベゼルパーツ１４、ラグパーツ１６を製造できるため、消費者に対してデザイン、色彩あるいは材料の異なる胴パーツ１２、ベゼルパーツ１４、ラグパーツ１６を提供することができると共に腕時計の消費拡大を図ることができる。
【００４３】
さらに、腕時計メーカーは、腕時計を販売する場合に胴パーツ１２、ベゼルパーツ１４、ラグパーツ１６の組み合わせを消費者が自由に選んで自分の好みに合った腕時計ケース１０を作ることができることを消費者に対して提案して腕時計を販売することができる。
【００４４】
また、実施例の腕時計ケース１０は胴パーツ１２をベゼルパーツ１４に挿入してベゼルパーツ１４を回して胴パーツ１２をラグパーツ１６に取り付けるので、従来の腕時計ケースにあった側面から固定ネジを螺入して胴パーツとベゼルパーツを固定する必要がないので、ベゼルパーツに固定ネジ用孔を設けたり固定ネジを螺入する必要が無いので、ベゼルパーツのデザインをより自由にデザインすることができると共にデザインを格段に向上させることができる。
【００４５】
なお、この実施例では前記胴パーツ１２は金属で、前記ベゼルパーツ１４は木材で、前記ラグパーツ１６は合成樹脂材で、それぞれ形成した場合を示したが、前記胴パーツ１２、前記ベゼルパーツ１４、前記ラグパーツ１６を形成する材料は実施例に限定されるものでなく、例えば、ステンレス、セラミック等の他の材料を使用してもよいことは勿論である。
【００４６】
また、実施例の腕時計ケース１０ではラグパーツ１６と底蓋１８を別体にした腕時計ケース１０を示したが、ラグパーツ１６の底面に底蓋１８を一体形成したラグパーツで腕時計ケースを作ってもよい。
【００４７】
なお、実施例では腕時計ケース１０の組み立て手順を示したが、腕時計ケース１０の組み立て手順は実施例に示した手順に限定されるものでないことは勿論である。
【産業上の利用可能性】
【００４８】
本発明の腕時計ケースは、男性用腕時計あるいは女性用腕時計に関係なく使用することができる。
【符号の説明】
【００４９】
１０    腕時計ケース
１２    胴パーツ
１４    ベゼルパーツ
１６    ラグパーツ
１８    底蓋
２０    上面開口部
２２    側面部
２４    胴パーツ上部
２６    胴パーツ中部
２８    胴パーツ下部
３０    胴パーツ外側第１段部
３２    胴パーツ外側第２段部
３４    竜頭挿入孔形成部
３４Ａ  胴パーツ竜頭挿入孔
３６    第１係止キー
３８    第２係止キー
４０    ガラス嵌合部
４２    ムーブメント収容部
４４    テーパ部
５０    上面開口部
５２    側面部
５２Ａ  内側面
５４    胴パーツ上部対応部
５６    胴パーツ中部対応部
５８    ベゼル内側段部
６０    竜頭挿入孔形成突起用切欠
６２    ラグ本体
６２Ａ  内側面
６４    竜頭挿入孔形成部対応切欠
６６    第１係止キー切欠
６６Ａ  第１係止キー溝
６８    第２係止キー切欠
６８Ａ  第２係止キー溝
７０    竜頭挿入孔形成突起
７０Ａ  ラグパーツ竜頭挿入孔
７２    胴パーツ固定用ネジ孔
７４    底蓋固定用ネジ孔
７６    バンド取付部
８０    リング状突起部
８２    リング状ゴムパッキン
８４    ラグパーツ固定用ネジ孔
８６    固定ネジ
９０    竜頭
９２    パッキン取付溝
９４    竜頭用パッキン
９６    ムーブメント操作ピン
【要約】
【課題】本発明は、消費者が自分の好みのデザインや色彩で形成されたり、あるいは自分の好みの材料で形成されたパーツを選んで腕時計ケースを作ることにより、自分の好みに応じてカスタマイズできる腕時計ケースを提供する。
【解決手段】腕時計ケース１０は、胴パーツ１２と、ベゼルパーツ１４と、ラグパーツ１６と、を備えている。胴パーツ１２に形成された竜頭挿入孔形成部３４には胴パーツ竜頭挿入孔３４Ａが形成され、胴パーツ１２の下部には第１係止キー３６と第２係止キー３８が突設されている。ベゼルパーツ１４には竜頭挿入孔形成突起用切欠６０が形成されている。ラグパーツ１６のラグ本体６２には竜頭挿入孔形成部対応切欠６４と第１係止キー切欠６６と第２係止キー切欠６８が形成されている。ラグ本体６２に突設された竜頭挿入孔形成突起７０にはラグパーツ竜頭挿入孔７０Ａが形成されている。
【選択図】図１【図１】
0006757998.tif 000002
【図２】
0006757998.tif 000003
【図３】
0006757998.tif 000004
【図４】
0006757998.tif 000005
【図５】
0006757998.tif 000006
【図６】
0006757998.tif 000007
【図７】
0006757998.tif 000008